(57)【要約】移動ターミナルにおいて中断のないハンドオーバーを行なうためのシステム及び方法が開示される。対応するワイヤレス送信器により放送された第１及び第２のサービス信号が受信され、それらのサービス信号から信号データが導出される。第１のワイヤレス送信器からの信号データが第１の規定の基準(67)を満足し、そして第２のワイヤレス送信器からの信号データが第２の規定の基準(79)を満足する場合には、サービス信号の規定の部分が受信された後に第１ワイヤレス送信器から第２ワイヤレス送信器へ受信が切り換えられる(87)。
2005523595.tif 000002
【特許請求の範囲】
【請求項１】
一連の送信バーストとしてフォーマットされたサービス信号であって複数のワイヤレス送信器の各々により供給されるサービス信号を移動ターミナルで受信するための方法において、
第１のワイヤレス送信器により第１の周波数で放送された第１サービス信号を受信し、
前記第１サービス信号が第１の規定の基準を満足する場合には、第２のワイヤレス送信器により放送された第２のサービス信号から信号データを導出し、そして
前記第２のワイヤレス送信器からの前記信号データが第２の規定の基準を満足する場合には、第１サービス信号送信バーストが受信された後に前記第１のワイヤレス送信器から前記第２のワイヤレス送信器へ受信を切り換える、
という段階を備えた方法。
【請求項２】
前記第１のワイヤレス送信器により放送された前記第１のサービス信号は、前記第２のワイヤレス送信器により放送された前記第２のサービス信号と同期される請求項１に記載の方法。
【請求項３】
前記移動ターミナルにより受信された後に前記第１サービス信号からカプセルを剥離する段階を更に備えた請求項１に記載の方法。
【請求項４】
前記カプセルは、規格ＥＮ３０１１９２に合致する請求項３に記載の方法。
【請求項５】
前記第１サービス信号をアプリケーションプロセッサへ送信してデータパケットに変換する段階を更に備えた請求項３に記載の方法。
【請求項６】
前記移動ターミナルにより測定された前記第１サービス信号の受信器信号強度値が所定値より小さい場合に前記第１の基準が満足される請求項１に記載の方法。
【請求項７】
前記移動ターミナルにより測定された前記第１サービス信号のビットエラー率が所定値より大きい場合に前記第１の基準が満足される請求項１に記載の方法。
【請求項８】
前記移動ターミナルにより測定された前記第２サービス信号のビットエラー率が所定値より小さい場合に前記第２の基準が満足される請求項１に記載の方法。
【請求項９】
複数のワイヤレス送信器からの情報を受信するのに適した移動ターミナルにおいて、
第１のワイヤレス送信器により放送された第１の送信バーストとして情報の少なくとも第１部分を受信するためのデジタル放送受信器と、
前記第１送信バーストを記憶するための受信器エラスティックバッファと、
前記第１送信バーストの受信が完了した後に前記第１のワイヤレス送信器から第２のワイヤレス送信器へ受信を切り換えるための手段と、
を備えた移動ターミナル。
【請求項１０】
前記第１の送信バーストに対するビットエラー率を導出するための手段を更に備えた請求項９に記載の移動ターミナル。
【請求項１１】
前記第１の送信バーストに対する受信信号強度指示値を導出するための手段を更に備えた請求項９に記載の移動ターミナル。
【請求項１２】
前記切り換え手段は、前記第２のワイヤレス送信器に応答して、規定の基準を満足する信号を前記移動ターミナルに供給するように動作する請求項９に記載の移動ターミナル。
【請求項１３】
前記第１の送信バーストを情報データストリームに変換するためのアプリケーションプロセッサを更に備えた請求項９に記載の移動ターミナル。
【請求項１４】
前記受信器エラスティックバッファに記憶された前記送信バーストから送信カプセルを剥離するためのストリームフィルタを更に備えた請求項９に記載の移動ターミナル。
【請求項１５】
前記ストリームフィルタは、インターネットプロトコル（ＩＰ）フィルタを含む請求項９に記載の移動ターミナル。
【請求項１６】
少なくともある間隔の情報を、少なくとも１つの他の送信器と同期して送信バーストとして放送するための第１送信器と、
上記送信バーストを受信するための受信器システムと、
を備え、前記受信器は、前記送信バーストをバッファするための受信器エラスティックバッファを含むと共に、更に、少なくとも１つの規定の基準が満足された場合に前記送信バーストを受信した際に前記第１送信器から前記少なくとも１つの他の送信器へのハンドオーバーを実行する手段も含むデジタル放送システム。
【請求項１７】
前記第１送信器は、前記送信バーストをカプセル化するためのマルチプロトコルエンキャプスレータを含む請求項１６に記載のデジタル放送システム。
【請求項１８】
前記受信器システムにより測定された前記送信バーストの受信器信号強度値が所定値より小さい場合に前記少なくとも１つの規定の基準が満足される請求項１６に記載のデジタル放送システム。
【請求項１９】
前記移動ターミナルにより測定された前記送信バーストのビットエラー率が所定値より大きい場合に前記少なくとも１つの規定の基準が満足される請求項１６に記載のデジタル放送システム。
【請求項２０】
前記移動ターミナルにより測定された前記少なくとも１つの他の送信器から受信された信号のビットエラー率が所定値より小さい場合に前記少なくとも１つの規定の基準が満足される請求項１６に記載のデジタル放送システム。
【請求項２１】
複数のワイヤレス送信器の各々により供給される一連のサービス信号を受信するための方法において、
各々異なる周波数で放送する複数のワイヤレス送信器により放送されたサービス信号を受信し、
情報を供給するための第１ワイヤレス送信器を選択し、
前記第１ワイヤレス送信器から受信した情報の第１ビットエラー率を導出し、
前記第１ワイヤレス送信器に対する前記第１ビットエラー率が規定の準エラーなし値より大きい場合には、第２のワイヤレス送信器に対する第２ビットエラー率を導出し、そして
前記第２ビットエラー率が前記準エラーなし値より小さい場合には、受信を行うために前記第２ワイヤレス送信器を選択する、
という段階を備えた方法。
【請求項２２】
受信を行うために前記第２ワイヤレス送信器を選択する前記段階は、前記第１ワイヤレス送信器からのサービス信号送信バーストの受信を完了した後に行なわれる請求項２１に記載の方法。
【請求項２３】
前記第２ワイヤレス送信器は、受信信号強度指示値の関数として複数の送信器から選択される請求項２１に記載の方法。
【発明の詳細な説明】
【技術分野】
【０００１】
本発明は、音声データ、映像データ、制御データ又は他の情報のバースト送信に係り、より詳細には、移動ターミナルにおいて中断のないハンドオーバーを行なうためのシステム及び方法に係る。
【背景技術】
【０００２】
ワイヤレスネットワークの分野では、ビデオストリーミング、データストリーミング、及びブロードバンドデジタル放送番組が益々普及してきている。しかしながら、移動ターミナルの受信者がワイヤレス送信セル間を移動するときには、特にハンドオーバーが行なわれるとき、情報信号が失われたり又は破壊されたりする。現在の技術では、このような問題を軽減するために移動ターミナルに２つの受信器が使用されるが、このような解決策は、移動ターミナルのコスト及び複雑さを高める。
【発明の開示】
【発明が解決しようとする課題】
【０００３】
そこで、多数のワイヤレスセルからデータ及び情報を受信する移動ターミナルへ中断なく情報及びデータ流を供給するシステム及び方法が要望される。
【課題を解決するための手段】
【０００４】
本発明は、移動ターミナルにおいて中断なくハンドオーバーを行なうシステム及び方法を提供する。対応するワイヤレス送信器により放送された第１及び第２のサービス信号が受信され、それら第１及び第２のサービス信号から信号データが導出される。第１のワイヤレス送信器からの信号データが第１の規定の基準を満足し、そして第２のワイヤレス送信器からの信号データが第２の規定の基準を満足する場合には、サービス信号の規定の部分が受信された後に第１ワイヤレス送信器から第２ワイヤレス送信器へ受信が切り換えられる。
【発明を実施するための最良の形態】
【０００５】
以下、添付図面を参照して本発明の好ましい実施形態を詳細に説明する。
図１は、ワイヤレスセル１１、１３及び１５により例示される複数のワイヤレスセルを経て動作する従来のワイヤレスシステム１０の簡単な図である。ワイヤレスセル１１、１３及び１５の各々は、通常、従来の情報信号２９ａ、２９ｂ及び２９ｃを各々放送する従来の送信器２１、２３及び２５を備え、各情報信号２９ａ−２９ｃは、異なる周波数で送信されてもよい。図２に示すように、各従来の情報信号２９ａ−２９ｃは、連続的なものでもよいし、或いはビットレートが例えば１００Ｋビット／秒のゆっくり変化するデータ流であってもよい。
【０００６】
例えば、セル１１に配置されたワイヤレス受信器（図示せず）のような移動ターミナルは、ほとんどの場合、図１の送信器２１により供給される連続的な情報信号２９ａを受信するように選択する。従って、ワイヤレス受信器がワイヤレスセル１１からワイヤレスセル１３又はワイヤレスセル１５へ移動するときには、例えば、受信器の受信周波数を切り換えることにより、送信器２３からの情報信号２９ｂ又は送信器２５からの情報信号２９ｃを受信するように、通常、対応ハンドオーバーが生じる。しかしながら、ある連続的な信号から別の信号へ切り換える動作は、ワイヤレス受信器により取得される情報信号に望ましからぬ中断を生じることがある。
【０００７】
図３は、本発明の特徴を組み込んだタイムスライスデジタル放送システム３０の簡単な図である。この放送システム３０は、ワイヤレスセル１１、１３及び１５を含む送信領域で動作するように示されている。第１送信器３１は、ワイヤレスセル１１に配置され、第２送信器３３は、ワイヤレスセル１３に配置され、そして第３送信器３５は、ワイヤレスセル１５に配置される。これら送信器３１−３３は、対応するサービス信号４１ａ−４１ｃを放送し、これらは全て移動ターミナル３９により受信される。サービス信号４１ａ−４１ｃは、通常のサービスプロバイダー（図示せず）により発生されて各送信器３１−３３により送信信号に変換された情報又はデータを含む。移動ターミナル３９がサービス信号４１ａ−４１ｃ間を弁別できるように、サービス信号４１ａ−４１ｃの各々は、異なる周波数で送信される。或いは又、異なるコード構成や他の無線周波数送信フォーマットを使用してサービス信号４１ａ−４１ｃを送信することにより信号の弁別が達成されてもよい。
【０００８】
サービス信号４１ａ−４１ｃの波形が図４に詳細に示されている。例えば、サービス信号４１ａは、送信バースト４３ａ、送信バースト４５ａ及び送信バースト４７ａで例示された一連の送信バーストを含む。同様に、第２送信器３３により放送されたサービス信号４１ｂは、送信バースト４３ｂ、４５ｂ及び４７ｂを含み、そして第３送信器３５により放送されたサービス信号４１ｃは、送信バースト４３ｃ、４５ｃ及び４７ｃを含む。グラフで示されたように、サービス信号４１ａ−４１ｃは、送信バースト４３ａ、４３ｂ及び４３ｃが各バースト送信器３１−３３により同時に放送されるように同期されるのが好ましい。同様に、送信バースト４５ａ、４５ｂ及び４５ｃが同期され、そして送信バースト４７ａ、４７ｂ及び４７ｃが同期される。
【０００９】
好ましい実施形態では、送信バースト４３ａ−４３ｃ、４５ａ−４５ｃ及び４７ａ−４７ｃの各々は、巾が約１秒の４Ｍビット／秒パルスであり、送信バースト当たり４Ｍビットのバッファ情報を転送する。送信バースト４３ａ−４３ｃ、４５ａ−４５ｃ及び４７ａ−４７ｃは、約４０秒間隔で離間され、波形４１ａ−４１ｃの各々は、１００Ｋビット／秒の平均信号情報送信レートを効果的に生じさせる。従って、波形４１ａ−４１ｃは、例えば、上記サービスプロバイダーから受信された情報信号２９ａ−２９ｃの連続的な１００Ｋビット／秒の送信レートと同じ有効送信レートを達成する。しかし、情報信号２９ａ−２９ｃとは対照的に、波形４１ａ−４１ｃは、情報信号送信が生じないときに、介在する３９秒の時間間隔も与える。
【００１０】
放送システム３０においてハンドオーバーが要求されるときには、選択されたサービスプロバイダーの送信バーストと送信バーストとの間に生じる約３９秒の時間間隔の１つの間にのみハンドオーバーが実行される。３９秒の時間間隔は、移動ターミナル３９が、受信信号に中断を生じることなく、１つの送信器の信号から別の送信器の信号への切り換えを開始して完了するのを許す。例えば、移動ターミナル３９は、送信バースト４３ａを受信するように選択し、次いで、送信バースト４５ｂ又は４５ｃの一方を受信するように切り換わり、そして送信器３１−３５のいずれかが特定の時間に最良の信号を与えるところの周波数を選択的に通すことにより送信バースト４７ａ、４７ｂ又は４７ｃのいずれか１つを受信するように再び切り換わることができる。従って、ここに開示するシステム及び方法は、選択されたサービスプロバイダーからデータ送信が予想されない時間間隔中に中断のないハンドオーバーを開始して完了させる。
【００１１】
移動ターミナル３９は、ワイヤレスセル１１に位置するときには、通常、第１送信器３１からのサービス信号４１ａを最良の信号として受信する。しかしながら、移動ターミナル３９がワイヤレスセル１１からワイヤレスセル１３へ移動すると、サービス信号４１ａの受信信号強度がサービス信号４１ｂの受信信号強度より低い値に低下することがある。従って、このような信号減衰が生じるか又は別の規定のサービス信号基準を満足すると、以下に詳細に述べるように、移動ターミナル３９は、サービス信号４１ａを放送する第１送信器３１の周波数を受信することから、サービス信号４１ｂを放送する第２送信器３３により使用される周波数を受信することへ切り換わってもよい。
【００１２】
移動ターミナル３９が、例えば、送信バースト４３ａにより与えられる信号を入力した後に、規定のサービス信号規準を満足した場合には、送信バースト４３ａの終了点５１（ここではｔ＝１秒に示される）と次の送信バースト４５ｂの開始点５３（ここではｔ＝４０秒に示される）との間の時間間隔に周波数の切り換えが行われるのが好ましい。このように、移動ターミナル３９は、送信バースト４３ａ及び４５の各々を完全に受信し、従って、１つのバーストターミナルから別のターミナルへのハンドオーバー中に中断をこうむることはない。或いは又、移動ターミナル３９が既に送信バースト４５ａを入力しており、そして規定の基準が満足された場合には、送信バースト４５ａの終了点５５と次の送信バースト４７ｂの開始点５７（ここではｔ＝８０秒に示される）との間に周波数の切り換えが行われる。
【００１３】
このプロセスは、図５のフローチャートに詳細に示されている。ステップ６１で移動ターミナル３９が初期化された後に、移動ターミナル３９は、ステップ６３において、希望のサービスを提供しているワイヤレスセル１１に隣接する１つ以上のワイヤレスセルに対する「Ｌ」個の別々の周波数のリストをコンパイルする。ここに示す例では、このリストは、送信器３３及び３５が隣接セル１３及び１５に配置されてサービス信号４１ｂ及び４１ｃを放送するので、ワイヤレスセル１３及び１５の放送周波数を含む。これら別々の周波数は、送信器３１、３３及び３５により放送されるサービス信号４１ａ、４１ｂ及び４１ｃに与えられる。例えば、送信器３１により送信されるサービス信号４１ａは、サービス信号４１ａで放送される同じサービスを与える周波数のリストを含む。これは、送信器３３及び３５により放送される信号の周波数を含む。
【００１４】
ステップ６５において、移動ターミナル３９に信号データが導出される。これらのデータは、ワイヤレスセル１１の送信器３１により使用される信号周波数（ここでは、オリジナル周波数と指示される）に対する受信信号強度指示（ＲＳＳＩ）値及びビットエラー率（ＢＥＲ）値を含む。所定のハンドオーバー基準を満足した場合にハンドオーバーが考えられ又は開始される。好ましい実施形態では、オリジナル周波数のＢＥＲが所定の準エラーなし（ＱＥＦ）限界を越えるか、又はオリジナル周波数のＲＳＳＩが規定値より下がった場合に、ハンドオーバー基準を満足する。
【００１５】
判断ブロック６７において、ハンドオーバー基準を満足しない場合には、移動ターミナル３９は、オリジナル周波数のＲＳＳＩ及びＢＥＲ値を不利な変化に対して監視し続ける。一方、ハンドオーバー基準を満足した場合には、移動ターミナルは、ステップ６９において、同じサービスを提供する「Ｌ」個の隣接セル送信信号周波数に対してＲＳＳＩ値を測定又は決定する。隣接セル送信信号周波数に対する「Ｌ」個のＲＳＳＩ値は、ハンドオーバー基準を満足した後に得られた読みであってもよいし、又はＲＳＳＩ値は、選択された時間周期にわたって得られて平均化されて移動ターミナル３９に保持された値でもよい。ハンドオーバーに対する候補信号周波数の選択は、「Ｌ」個の隣接セル送信信号周波数に対して得られたＲＳＳＩ値に基づくものである。
【００１６】
最も強いＲＳＳＩ値を有する「Ｎ」個の隣接セル周波数は、「Ｎ」個の候補周波数と指示され、但し、N≦Lである。好ましい実施形態では、３≦N≦５である。ステップ７１において、「N」個の候補周波数及びオリジナル周波数を含む（Ｎ＋１）個のＲＳＳＩ周波数値のリストが形成される。別の実施形態では、任意のステップ７３において、オリジナル周波数から候補周波数への頻繁な又は不必要なハンドオーバーの可能性を低減するために、オリジナル周波数に対するＲＳＳＩ値が所定のヒステリシス値、例えば、５dBだけ増加される。最も大きなＲＳＳＩ値を有する候補周波数がステップ７５においてリストから選択され、そしてステップ７７においてこの現在の候補周波数に対してＢＥＲ値が測定される。
【００１７】
現在候補周波数のＢＥＲ値が判断ブロック７９において所定のＱＥＦ限界を越える場合には、ステップ８１においてその現在候補周波数がリストから除去され、そして付加的な候補周波数が判断ブロック８３においてリストに保持される場合には、最も大きなＲＳＳＩ値を有する次の候補周波数値がステップ７５において現在候補周波数と指定され、次いで、プロセスは、上述したようにステップ７７へ進む。判断ブロック８３において候補周波数値がリストに保持されない場合には、移動ターミナル３９がステップ８５において情報の受信にオリジナル周波数を使用し続け、動作はステップ６３へ続く。
【００１８】
現在候補周波数のＢＥＲ値が判断ブロック７９において所定のＱＥＦ限界を越えない場合には、移動ターミナル３９は、ステップ８７において、次の送信バーストを受信するための現在候補周波数へ切り換わることによりハンドオーバーを実行し、そして動作は、上述したようにステップ６３へ復帰する。好ましい実施形態では、ＱＥＦ限界が、デジタルビデオ放送受信器におけるビタビデコードの後の約２x１０-4のＢＥＲ値に対応する。当業者に明らかなように、デジタルビデオ放送受信器に使用されるエラー修正チェーンは、ビタビデコーダ段及びリードソロモンデコーダ段を含んでもよい。従って、ビタビデコードの後の約２x１０-4のＢＥＲ値は、リードソロモンデコードの後の約１０-12のＢＥＲ値に対応する。
【００１９】
図６には、送信器３１が例えばサービス信号４１ａを移動ターミナル３９へ放送する好ましい実施形態が示されている。好ましい実施形態では、移動ターミナル３９は、デジタル放送受信器１１１を備えている。送信器３１は、情報サービスプロバイダー１０１からインターネットのようなネットワーク接続を経てストリーミングビデオ信号のような情報ストリームを受信する。情報ストリームは、エラスティックバッファ１０３に記憶され、そして当該技術で良く知られたように、一連の送信バーストにフォーマットされる。
【００２０】
各送信バーストは、次いで、例えば、ヨーロッパ規格ＥＮ３０１１９２「Digital Video Broadcasting (DVB); DVB specification for data broadcasting.」の第７章に基づくマルチプロトコルエンキャプスレータ１０５を使用することによりフォーマットされる。このカプセル化は、例えば、インターネットプロトコル（ＩＰ）規格に合致してもよい。カプセル化の後に、各送信バーストは、マルチプロトコルエンキャプスレータ１０５によりデジタル放送送信器１０７へ供給される。デジタル放送送信器１０７は、一連の送信バーストをマルチプロトコルエンキャプスレータ１０５からデジタル放送受信器１１１へサービス信号４１ａとして周期的に送信する。
【００２１】
デジタル放送受信器１１１は、サービス信号４１ａより成る到来する一連の送信バーストをストリームフィルタユニット１１３へ供給し、個々の送信バーストからカプセルを剥離する。ストリームフィルタユニット１１３のフィルタされた出力は、次いで、受信器エラスティックバッファ１１５へ送信され、これは、フィルタされ剥離された送信バーストを一時的に記憶するように働き、その後、アプリケーションプロセッサ１１７へと下流に送信し、該プロセッサは、実質的に連続的な情報データ流又は一連のデータパケットへと変換する。
【００２２】
デジタル放送受信器１１１の好ましい実施形態が図７に詳細に示されている。サービス信号４１ａのようなＲＦ入力信号が可変利得ＲＦ増幅器１２１へ入力され、そして可変トラッキングフィルタ１２３を経て受信のために選択される。又、このトラッキングフィルタ１２３は、ハンドオーバー動作中に周波数切り換えを達成する方法も与える。トラッキングフィルタ１２３により与えられる信号は、ミクサ１２５によりＩＦ信号にダウン変換され、該ミクサ１２５は、当該技術において良く知られたように、１つの入力ポートに設けられた周波数シンセサイザー１２７からも入力を得る。ミクサ１２５の出力は、ＩＦ増幅器１２９により増幅され、バンドパスフィルタ１３１を経てフィルタされた後に、デジタル復調器１３３へ送信される。この復調器１３３は、サービス信号４１ａのような到来するＲＦ入力信号に対するＢＥＲ値を導出するためのビットエラー率推定装置を含む。
【００２３】
ＩＦ増幅器１２９の出力は、電力検出器１４１へも供給され、この検出器は、自動利得制御器１４３へ基準信号を与える。最初に中間レベルにセットされる可変利得ＲＦ増幅器１２１の利得は、自動利得制御器１４３からのフィードバックを使用して制御される。自動利得制御器１４３は、電力検出器１４１により検出されたＩＦ電力をターゲットＩＦ電力レベルと比較するように機能する。検出されたＩＦ電力レベルがあまりに低いと、自動利得制御器１４３は、可変利得ＲＦ増幅器１２１の利得を増加する。逆に、検出されたＩＦ電力レベルがあまりに高いと、利得が減少される。
【００２４】
従って、自動利得制御器１４３により可変利得ＲＦ増幅器１２１に与えられる制御電圧は、ＲＦ入力信号（例えば、サービス信号４１ａ）のレベルに正比例する。低レベルのＲＦ入力信号が受信された場合には、可変利得ＲＦ増幅器１２１は、ターゲットＩＦ電力レベルを与えるために更に大きな利得を要求する。従って、これにより得られるフィードバックループを使用して、受信信号強度インジケータ１４５によりＲＦ入力信号の強度の指示を与えることができる。
【００２５】
ビットエラー率の推定は、デジタル復調器１３３で行なわれる。このデジタル復調器１３３は、エラー修正ブロックを使用して、エラー修正前の初期ビットエラー率を推定する。好ましい実施形態では、ＢＥＲは、エラー修正で全てのエラーを修正できる場合に１００％正しいと考えられる。当業者に明らかであるように、ビットエラー率の値は、サービス信号４１ａのクオリティ、ひいては、信号レベルに正比例する。
【００２６】
又、移動ターミナル３９は、図８に示すように、１つ以上の他のサービスプロバイダーにより供給される情報又はデータより成るサービス信号で構成された信号ストリーム１５０も受信し得ることを理解されたい。例えば、図９を更に参照すれば、この信号ストリーム１５０は、第１サービスプロバイダーにより供給される第１送信バースト１５１ａと、第２サービスプロバイダーにより供給される第１送信バースト１５３ａと、第３サービスプロバイダーにより供給される第１送信バースト１５５ａと、第４サービスプロバイダーにより供給される第１送信バースト１５７ａと、第５サービスプロバイダーにより供給される第１送信バースト１５９ａとを含んでもよい。ここに示す例では、第１シリーズの送信バースト１５１ａ−１５９ａの後に、第１のナルパケット送信インターバル１６１ａが続く。
【００２７】
第１のナルパケット送信インターバル１６１ａの後には、第１から第５のサービスプロバイダーにより各々供給される第２の一連の送信バースト１５１ｂ−１５９ｂが続く。第２の一連の送信バースト１５１ｂ−１５９ｂの後には、第２のナルパケット送信インターバル１６１ｂが続く。もし希望であれば、第１又は第２のナルパケット送信インターバル１６１ａ、１６１ｂにおいてハンドオーバー動作を実行することができる。更に、移動ターミナル３９が、第１サービスプロバイダーにより与えられた情報信号のみを受信する場合には、送信バースト１５３ａ−１５９ａ及び１５３ｂ−１５９ｂの放送中にもハンドオーバーを実行することができる。
【００２８】
当業者に明らかなように、タイムスライスデジタル放送システム３０は、周波数分割多重アクセス（ＦＤＭＡ）、時分割多重アクセス（ＴＤＭＡ）、コード分割多重アクセス（ＣＤＭＡ）又はワイドバンドＣＤＭＡ（Ｗ−ＣＤＭＡ）コードのような変調／復調方法を使用して、異なる送信チャンネルを異なるサービスプロバイダーに指定することができる。このようなチャンネルは、移動ターミナル３９が、種々のサービスプロバイダーにより供給された情報及びデータ間を区別できるようにすると共に、移動ターミナル３９がこのようなサービスの１つ以上を受信のために選択できるようにする。
【００２９】
以上、特定の実施形態を参照して本発明を説明したが、本発明は、ここに開示し及び／又は図面に示された特定の構造及び方法に何ら限定されるものではなく、特許請求の範囲内に入るいかなる変更や修正も包含することを理解されたい。
【図面の簡単な説明】
【００３０】
【図１】従来のワイヤレス通信システムの簡単な図である。
【図２】図１の従来のワイヤレス通信システムにより放送された信号の波形図である。
【図３】ワイヤレス移動ターミナルと、サービスプロバイダーで発信される情報に対応するバースト信号ストリームを放送する複数の送信器とを備えたタイムスライスデジタル放送システムの第１の好ましい実施形態を示す図である。
【図４】図３のバースト信号ストリームの１つを表わす一般的な波形を示すグラフである。
【図５Ａ】図３の移動ターミナルの動作を示すフローチャートである。
【図５Ｂ】図３の移動ターミナルの動作を示すフローチャートである。
【図６】図３のシステムのデジタル放送送信器からデジタル放送受信器へ放送された信号流を示すグラフである。
【図７】図６のデジタル放送受信器の機能的ブロック図である。
【図８】複数のサービスプロバイダーから放送された情報信号を示す図である。
【図９】信号ストリームにおける送信バーストを示す図である。
【図１】
2005523595.tif 000003
【図２】
2005523595.tif 000004
【図３】
2005523595.tif 000005
【図４】
2005523595.tif 000006
【図５Ａ】
2005523595.tif 000007
【図５Ｂ】
2005523595.tif 000008
【図６】
2005523595.tif 000009
【図７】
2005523595.tif 000010
【図８】
2005523595.tif 000011
【図９】
2005523595.tif 000012
【手続補正書】
【提出日】平成17年4月19日(2005.4.19)
【手続補正１】
【補正対象書類名】特許請求の範囲
【補正対象項目名】全文
【補正方法】変更
【補正の内容】
【特許請求の範囲】
【請求項１】
一連の送信バーストとしてフォーマットされたサービス信号であって複数のワイヤレス送信器の各々により供給されるサービス信号を移動ターミナルで受信するための方法において、
第１のワイヤレス送信器により第１の周波数で放送された第１サービス信号を受信し、  前記第１サービス信号が第１の規定の基準を満足する場合には、第２のワイヤレス送信器により放送された第２のサービス信号から信号データを導出し、そして
前記第２のワイヤレス送信器からの前記信号データが第２の規定の基準を満足する場合には、第１サービス信号送信バーストが受信された後に前記第１のワイヤレス送信器から前記第２のワイヤレス送信器へ受信を切り換える、
という段階を備えた方法。
【請求項２】
前記第１のワイヤレス送信器により放送された前記第１のサービス信号は、前記第２のワイヤレス送信器により放送された前記第２のサービス信号と同期される請求項１に記載の方法。
【請求項３】
前記移動ターミナルにより受信された後に前記第１サービス信号からカプセルを剥離する段階を更に備えた請求項１に記載の方法。
【請求項４】
前記カプセルは、規格ＥＮ３０１１９２に合致する請求項３に記載の方法。
【請求項５】
前記第１サービス信号をアプリケーションプロセッサへ送信してデータパケットに変換する段階を更に備えた請求項３に記載の方法。
【請求項６】
前記移動ターミナルにより測定された前記第１サービス信号の受信器信号強度値が所定値より小さい場合に前記第１の基準が満足される請求項１に記載の方法。
【請求項７】
前記移動ターミナルにより測定された前記第１サービス信号のビットエラー率が所定値より大きい場合に前記第１の基準が満足される請求項１に記載の方法。
【請求項８】
前記移動ターミナルにより測定された前記第２サービス信号のビットエラー率が所定値より小さい場合に前記第２の基準が満足される請求項１に記載の方法。
【請求項９】
複数のワイヤレス送信器からの情報を受信するのに適した移動ターミナルにおいて、
第１のワイヤレス送信器により放送された第１の送信バーストとして情報の少なくとも第１部分を受信するためのデジタル放送受信器と、
前記第１送信バーストを記憶するための受信器エラスティックバッファと、
前記第１送信バーストの受信が完了した後に前記第１のワイヤレス送信器から第２のワイヤレス送信器へ受信を切り換えるための手段と、
を備えた移動ターミナル。
【請求項１０】
前記第１の送信バーストに対するビットエラー率を導出するための手段を更に備えた請求項９に記載の移動ターミナル。
【請求項１１】
前記第１の送信バーストに対する受信信号強度指示値を導出するための手段を更に備えた請求項９に記載の移動ターミナル。
【請求項１２】
前記切り換え手段は、前記第２のワイヤレス送信器に応答して、規定の基準を満足する信号を前記移動ターミナルに供給するように動作する請求項９に記載の移動ターミナル。
【請求項１３】
前記第１の送信バーストを情報データストリームに変換するためのアプリケーションプロセッサを更に備えた請求項９に記載の移動ターミナル。
【請求項１４】
前記受信器エラスティックバッファに記憶された前記送信バーストから送信カプセルを剥離するためのストリームフィルタを更に備えた請求項９に記載の移動ターミナル。
【請求項１５】
前記ストリームフィルタは、インターネットプロトコル（ＩＰ）フィルタを含む請求項１４に記載の移動ターミナル。
【請求項１６】
少なくともある間隔の情報を、少なくとも１つの他の送信器と同期して送信バーストとして放送するための第１送信器と、
上記送信バーストを受信するための受信器システムと、
を備え、前記受信器は、前記送信バーストをバッファするための受信器エラスティックバッファを含むと共に、更に、少なくとも１つの規定の基準が満足された場合に前記送信バーストを受信した際に前記第１送信器から前記少なくとも１つの他の送信器へのハンドオーバーを実行する手段も含むデジタル放送システム。
【請求項１７】
前記第１送信器は、前記送信バーストをカプセル化するためのマルチプロトコルエンキャプスレータを含む請求項１６に記載のデジタル放送システム。
【請求項１８】
前記受信器システムにより測定された前記送信バーストの受信器信号強度値が所定値より小さい場合に前記少なくとも１つの規定の基準が満足される請求項１６に記載のデジタル放送システム。
【請求項１９】
前記移動ターミナルにより測定された前記送信バーストのビットエラー率が所定値より大きい場合に前記少なくとも１つの規定の基準が満足される請求項１６に記載のデジタル放送システム。
【請求項２０】
前記移動ターミナルにより測定された前記少なくとも１つの他の送信器から受信された信号のビットエラー率が所定値より小さい場合に前記少なくとも１つの規定の基準が満足される請求項１６に記載のデジタル放送システム。
【請求項２１】
複数のワイヤレス送信器の各々により供給される一連のサービス信号を受信するための方法において、
各々異なる周波数で放送する複数のワイヤレス送信器により放送されたサービス信号を受信し、
情報を供給するための第１ワイヤレス送信器を選択し、
前記第１ワイヤレス送信器から受信した情報の第１ビットエラー率を導出し、
前記第１ワイヤレス送信器に対する前記第１ビットエラー率が規定の準エラーなし値より大きい場合には、第２のワイヤレス送信器に対する第２ビットエラー率を導出し、そして
前記第２ビットエラー率が前記準エラーなし値より小さい場合には、受信を行うために前記第２ワイヤレス送信器を選択する、
という段階を備えた方法。
【請求項２２】
受信を行うために前記第２ワイヤレス送信器を選択する前記段階は、前記第１ワイヤレス送信器からのサービス信号送信バーストの受信を完了した後に行なわれる請求項２１に記載の方法。
【請求項２３】
前記第２ワイヤレス送信器は、受信信号強度指示値の関数として複数の送信器から選択される請求項２１に記載の方法。
【国際調査報告】
2005523595.tif 000013
2005523595.tif 000014